【事件の表示】
　特許第３２６７３９９号「逆流防止弁を配置した内視鏡」の請求項１に係る特許に対する特許異議の申立てについて、次のとおり決定する。
【結　論】
　訂正を認める。
　特許第３２６７３９９号の請求項１に係る特許を維持する。
【理　由】
１．手続の経緯
　
　特許３２６７３９９号の請求項１に係る発明は、平成５年７月５日に特許出願され、平成１４年１月１１日にその特許権の設定登録がなされ、その後、旭光学工業株式会社より特許異議申立がなされ、取消の理由が通知され、その指定期間内である平成１５年１月２８日に訂正請求がなされたものである。
　
２．訂正の適否についての判断
ア）訂正の内容
（訂正事項１）
　特許請求の範囲の請求項１の第２行〜第５行の「上記送気又は送水の操作バルブと先端部との間の内視鏡外表部に、逆流防止弁を組み込んだ弁部を設け、この弁部の上部は弁部から取外し可能な蓋体とし、弁部下部側には所定の曲率で曲げ形成された供給管を接続するようにした」を、「上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体とした」と訂正する。
　
（訂正事項２）
　明細書の発明の詳細な説明の欄、段落番号【００１０】の第４行目〜第７行目の「上記送気又は送水の操作バルブと先端部との間の内視鏡外表部に、逆流防止弁を組み込んだ弁部を設け、この弁部の上部は弁部から取外し可能な蓋体とし、弁部下部側には所定の曲率で曲げ形成された供給管を接続するようにした」を、「上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体とした」と訂正する。
　
（訂正事項３）
　明細書の発明の詳細な説明の欄、段落番号【００１１】の第４行目の「同時に、供給管については、」を「同時に、送気又は送水の操作バルブへ連結される管と先端部へ向かう管については、」と訂正する。
　
（訂正事項４）
　明細書の発明の詳細な説明の欄、段落番号【００２５】の第２行目〜第５行目の「送気又は送水の操作バルブと先端部との間の内視鏡外表部に、逆流防止弁を組み込んだ弁部を設け、この弁部の上部は弁部から取外し可能な蓋体とし、弁部下部側には所定の曲率で曲げ形成された供給管を接続したので、」を、「送気又は送水の操作バルブと先端部との間の内視鏡外表部に弁部を設け、この弁部の下部側には所定の曲率で曲げ形成された供給管であって操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体としたので、」と訂正する。
　
（訂正事項５）
　明細書の発明の詳細な説明の欄、段落番号【０００９】の第２行目の「可能とながら」を「可能としながら」と訂正する。
　
イ）訂正の目的の適否、新規事項の有無及び拡張・変更の存否
　
　訂正事項１は、請求項１に記載された、「内視鏡外表部に、逆流防止弁を組み込んだ弁部を設け、弁部下部側には所定の曲率で曲げ形成された供給管を接続するようにした」という構成を、より下位概念の構成である「内視鏡外表部に、弁部を設け、この弁部の下部側には所定の曲率で曲げ形成された供給管であって上記操作バルブへ連結される管と先端部へ向かう管を接続し、かつ、上記操作バルブへ連結される管への逆流を防止する逆流防止弁を組み込む」という構成に限定しようとするものであり、特許請求の範囲の減縮を目的とするものである。
　そして、この訂正事項１は、段落番号【００１６】欄、【００２３】欄、【００１５】欄、【００１８】欄、第１図、第２図、第６図の記載に基づくものであって、願書に添付した明細書又は図面に記載した事項の範囲内でされたものであり、また、実質上特許請求の範囲を拡張し、又は、変更するものではない。
　
　訂正事項２乃至訂正事項４は、訂正事項１により、特許請求の範囲の請求項１が補正されたのに伴って、発明の詳細な説明の欄における【課題を解決するための手段】、【作用】、【発明の効果】を記載した段落番号【００１０】欄、【００１１】欄、【００２５】欄の記載が請求項１の記載との整合性を失って不明りょうになるのを避けるために、それぞれの段落番号の記載を訂正後の請求項１の記載に合わせて訂正するものであり、明りょうでない記載の釈明を目的とするものである。
　
　訂正事項５は、段落番号【０００９】欄の記載から明らかなように、「ブラッシングを可能としながら」と記載すべきところ、「し」を脱字して記載したものを正しい記載に訂正するものであり、誤記の訂正を目的としたものである。
　
ウ）むすび
　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立についての判断
　
３−（１）特許異議申立の概要
　
　特許異議申立人旭光学工業株式会社は、証拠として、
甲第１号証：本願の出願の日前の他の特許出願であって、その出願後に出願公開された特願平４−１２６１２９号(特開平５−３１７２４０号)の願書に最初に添付した明細書又は図面を提出し、本件請求項１に係る発明は甲第１号証に記載された発明と同一であって、両者は発明者及び出願人のいずれも相違しているから、本件請求項１に係る発明は特許法第２９条の２の規定により特許を受けることができないものであり、本件請求項１に係る発明は特許法第１１３条の規定により取り消されるべきものである旨主張している。
　
３−（２）本件発明
　
　前記のとおり訂正は認められるから、本件の請求項１に係る発明（以下、「本件発明」という。）は、訂正明細書の特許請求の範囲の請求項１に記載された次のとおりのものである。
　
「先端部へ所定の供給源から送気又は送水をするために、供給管及び操作バルブが配設された内視鏡において、上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体としたことを特徴とする逆流防止弁を配置した内視鏡。」
　
３−（３）先願明細書記載事項
　
　当審で通知した取消の理由において引用した、本願の出願の日前の他の特許出願であって、その出願後に出願公開された特願平４−１２６１２９号(特開平５−３１７２４０号)の願書に最初に添付した明細書又は図面（特許異議申立人提出の甲第１号証）（以下、「先願明細書」という。）には、下記の事項が記載、図示されている。
　
「注水器を取り付けて注水を行うための注水口を、内視鏡の挿入部先端に開口する送水管路に挿通するように上記挿入部外の部分に設けると共に、上記挿入部先端側から上記注水口側への流れを防止するための弁を上記注水口と上記送水管路との間に設けた内視鏡において、上記弁を上記送水管路に対して着脱自在に設けて、上記弁を上記送水管路から取り外したときにその取り外した部分から上記送水管路内に掃除用ブラシを挿入できるようにしたことを特徴とする内視鏡。」（【請求項１】）、「挿入部１の基端側に連結された操作部３の前面上部には、送気送水操作釦４と吸引操作釦５が突設されている」（【００１２】欄）、「接続パイプ３３は、後述する管路内掃除用ブラシを注水口７側から噴射用送水チューブ１０内にスムーズに挿入することができるよう、図３に示されるように、ベース３２の底部に斜めに接続され」（【００１９】欄）、「逆止弁受け金３４には、逆止弁４１を組み込んだ逆止弁ユニット４０が着脱自在に螺合され」（【００２１】欄）、「図３及び図４に示されるように、弁受け本体４３を逆止弁受け金３４にねじ込んで逆止弁ユニット４０を取り付けた状態では、圧縮コイルバネ４４の付勢力によって逆止弁４１のＯリング４８が弁受け本体４３のテーパ状の弁座に押し付けられて、内側の接続パイプ３３側から外側の注水口７側への流体の流れが阻止される」（【００２３】欄）、「内視鏡では、内視鏡検査終了後には、図１に示されるように逆止弁受け金３４から逆止弁ユニット４０を取り外すことによって、逆止弁受け金３４側から、管路内掃除用ブラシ１００を噴射用送水チューブ１０内にその先端まで挿入して、噴射用送水チューブ１０内をブラッシングすることができる」（【００２９】欄）、「図７において２ａ及び２ｂは、先端部本体２を形成する金属部とプラスチック部であり、・・・５６は送水チューブである」（【００３１】欄）、「図８及び図９は本発明の第２の実施例を示しており、第１の実施例のような噴射用送水チューブ１０は設けずに、送気送水操作釦４に接続された送水チューブ５６に注入口７を接続したものである」（【００３２】欄）、「内視鏡検査終了後には、逆止弁受け金３４から逆止弁ユニット４０を取り外して、逆止弁受け金３４側から管路内掃除用ブラシ１００を送水チューブ５６内に、その先端まで挿入して、送水チューブ５６内をブラッシングすることができ」（【００３３】欄）、図１−図９。
　
３−（４）対比・判断
　
　本件発明と先願明細書に記載された発明とを比較すると、両者は、
「先端部へ所定の供給源から送気又は送水をするために、供給管及び操作バルブが配設された内視鏡において、上記送気又は送水の操作バルブと先端部との間の内視鏡外表部に、弁部を設け、この弁部の下部側には所定の曲率で曲げ形成された供給管であって先端部へ向かう管を接続し、かつ弁部には逆流防止弁が組み込まれ、この弁部の上部は当該弁部から取外し可能な蓋体としたことを特徴とする逆流防止弁を配置した内視鏡」である点で一致しているが、本件発明においては、弁部の下部側には、所定の曲率で曲げ形成された供給管であって操作バルブへ連結される管がさらに接続され、かつ弁部に組み込まれた逆流防止弁が操作バルブへ連結される管への逆流を防止するものであるのに対して、先願明細書に記載された発明においては、弁部の下部側に操作バルブへ連結される管が接続されておらず、かつ、弁部に組み込まれた逆流防止弁が操作バルブへ連結される管への逆流を防止する構成となっていない点で相違している。
　
　そして、本件発明においては、上記相違点に係る「弁部の下部側には、所定の曲率で曲げ形成された供給管であって操作バルブへ連結される管が接続され、かつ逆流防止弁が操作バルブへ連結される管への逆流を防止する」構成とすることにより、弁部の下部側に接続された操作バルブへ連結される管及び操作バルブへ連結された管への逆流を防ぐ逆流防止弁を効率よく清掃、洗浄、消毒できるという、先願明細書には記載も示唆もされていない効果を奏するものである。
　したがって、上記相違点は、課題解決のための具体化手段における設計上の微差ということはできない。
　
　よって、本件発明と先願明細書に記載された発明とは同一ではない。
　
３−（５）
　
　以上のとおりであるから、特許異議申立の理由及び証拠によっては、本件発明についての特許を取り消すことはできない。
　また、他に本件発明についての特許を取り消すべき理由を発見しない。
　したがって、本件発明についての特許は拒絶の査定をしなければならない特許出願に対してなされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年２月１８日（２００３．２．１８）
【訂正の要旨】
訂正事項
　ａ．特許請求の範囲の請求項１の第２行〜第５行の「上記送気又は送水の操作バルブと先端部との間の内視鏡外表部に、逆流防止弁を組み込んだ弁部を設け、この弁部の上部は弁部から取外し可能な蓋体とし、弁部下部側には所定の曲率で曲げ形成された供給管を接続するようにした」を特許請求の範囲の減縮を目的として、
　「上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体とした」と訂正する。
　これに伴い、特許請求の範囲の記載と発明の詳細な説明の記載との整合を図るため、明瞭でない記載の釈明を目的として、
　▲１▼明細書の発明の詳細な説明の欄、段落番号００１０の第４行目〜第７行目の「上記送気又は送水の操作バルブと先端部との間の内視鏡外表部に、逆流防止弁を組み込んだ弁部を設け、この弁部の上部は弁部から取外し可能な蓋体とし、弁部下部側には所定の曲率で曲げ形成された供給管を接続するようにした」を、
　「上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体とした」と訂正し、
　▲２▼明細書の発明の詳細な説明の欄、段落番号００１１の第４行目の「同時に、供給管については、」を、「同時に、送気又は送水の操作バルブへ連結される管と先端部へ向かう管については、」と訂正し、
　▲３▼明細書の発明の詳細な説明の欄、段落番号００２５の第２行目〜第５行目の「送気又は送水の操作バルブと先端部との間の内視鏡外表部に、逆流防止弁を組み込んだ弁部を設け、この弁部の上部は弁部から取外し可能な蓋体とし、弁部下部側には所定の曲率で曲げ形成された供給管を接続したので、」を、
　「送気又は送水の操作バルブと先端部との間の内視鏡外表部に弁部を設け、この弁部の下部側には所定の曲率で曲げ形成された供給管であって操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体としたので、」と訂正する。
　ｂ．明細書の発明の詳細な説明の欄、段落番号０００９の第２行目の「可能とながら」を、誤記の訂正を目的として、「可能としながら」と訂正する。
（５４）【発明の名称】
逆流防止弁を配置した内視鏡
（５７）【特許請求の範囲】
　【請求項１】　先端部へ所定の供給源から送気又は送水をするために、供給管及び操作バルブが配設された内視鏡において、上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体としたことを特徴とする逆流防止弁を配置した内視鏡。
【発明の詳細な説明】
　【０００１】
　【産業上の利用分野】
　本発明は内視鏡、特に先端部から空気、液体等が逆流するのを防止する逆流防止弁を配置した装置の弁部構造に関する。
　【０００２】
　【従来の技術】
　内視鏡では、被観察体内へ挿入される先端部へ送気又は送水が可能な構造となっており、これにより観察窓を洗浄するための水（生理食塩水）又は空気を送ることや、被観察体へ患部洗浄水等を供給することができる。
　【０００３】
　図７には、従来の内視鏡（電子内視鏡）装置における送気又は送水の概略構成が示されており、スコープとしての内視鏡１は先端部２（湾曲部）、操作部３等からなり、この内視鏡１にケーブル４を介して光源部５が接続される。この内視鏡１及びケーブル４内には、水タンク６、エアーポンプ７、そして吸引コネクタ８から先端部２まで、それぞれの管が図示のように配設され、操作部３には送気／送水操作バルブ９、吸引操作バルブ１０が取り付けられている。
　【０００４】
　また、操作部３の先端側に、注射器等の注入器が接続される第１コネクタ１１と第２コネクタ１２が設けられ、この第１コネクタ１１は内視鏡１内の送水管１００，１０１へ接続され、第２コネクタ１２は独立して先端部２へ患部洗浄水等を供給する送水管１１０へ接続される。そして、上記第１コネクタ１１へ接続される送水管１００に逆流防止弁１４、第２コネクタ１２へ接続される送水管１１０に逆流防止弁１５、送気管１２０に逆流防止弁１６が取り付けられている。
　【０００５】
　上記の構成によれば、送気／送水操作バルブ９の上側開口を指で塞ぐことにより、エアーポンプ７から供給される空気が送気管１２０を通って先端部２の観察窓へ向けて送出される。このとき、先端部２から空気、液体等の逆流が逆流防止弁１６で防止される。また、この送気／送水操作バルブ９を下側へ押すと、送気管１２０が閉状態、送水管１０１が開状態となって、水タンク６から供給される水が送水管１０１を通って先端部２へ供給される。
　【０００６】
　更に、上記第１コネクタ１１へ連結した注入器から上記の場合と異なる圧力で水を先端部２へ供給することができる。ここでも、逆流防止弁１４によって先端部２からコネクタ１１への液体等の逆流が防止されている。また、第２コネクタ１２からも注入器にて患部洗浄水を先端部２へ供給することができ、この患部洗浄水は先端部２から真っ直ぐ被観察体へ向けて放出される。この場合は、液体等の逆流は逆流防止弁１５で防止される。
　【０００７】
　【発明が解決しようとする課題】
　しかしながら、上記の従来の内視鏡では、上記逆流防止弁１４〜１６とその近傍の管の洗浄、消毒が行い難いという問題がある。即ち、逆流防止弁１４〜１６とその近傍の管が逆流した液体等によって或いは継続的使用によって汚れることが判明し、この逆流防止弁１４〜１６の洗浄、消毒が求められている。しかし、図７に示されるように、逆流防止弁１４〜１６は内視鏡１の内部で管の途中に配設されており、洗浄のためのブラシを送気／送水操作バルブ９側から挿入できないので、先端部開口或いは第１コネクタ１１及び第２コネクタ１２側から挿入しなければならず、洗浄、消毒が困難となっていた。
　【０００８】
　また、管の洗浄等においては細長いブラシが用いられることになるが、このブラシが挿入可能でかつ容易となるような配慮が必要となる。
　【０００９】
　本発明は上記問題点に鑑みてなされたものであり、その目的は、ブラッシングを可能としながら、逆流防止弁及び管内の洗浄を容易に行うことができる逆流防止弁を配置した内視鏡を提供することにある。
　【００１０】
　【課題を解決するための手段】
　上記目的を達成するために、本発明に係る逆流防止弁を配置した内視鏡は、先端部へ所定の供給源から送気又は送水をするために、供給管及び操作バルブが配設された内視鏡において、上記送気又は送水の操作バルブと先端部との間の内視鏡外表部に、弁部を設け、この弁部の下部側には所定の曲率で曲げ形成された供給管であって上記操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体としたことを特徴とする。
　【００１１】
　【作用】
　上記の構成によれば、蓋体が例えば雌雄ネジ形式で弁部の本体基部へ結合する構成とされ、この蓋体を取外すと、弁部の内部が露出することになる。従って、逆流防止弁や弁部内の清掃、消毒が容易となる。同時に、送気又は送水の操作バルブへ連結される管と先端部へ向かう管については、所定の曲率で形成されるので、ブラシを用いて、洗浄、消毒が効率よく行われる。
　【００１２】
　【実施例】
　図１〜５には、実施例に係る逆流防止弁を配置した内視鏡の弁部分の構成が示され、図６には内視鏡の全体が示されており、まず全体構成から説明する。図において、内視鏡１８は図７の場合と同様に、先端部２、操作部３を有し、この内視鏡１８にはケーブル４を介して光源部５が接続される。そして、この内視鏡１８には、水タンク６、光源部５内のエアーポンプ７、そして吸引コネクタ８から、それぞれの供給管が図示のように配設され、操作部３には送気／送水操作バルブ９、吸引操作バルブ１０が取り付けられる。なお、図示１９は鉗子等を挿入するための鉗子導入口である。
　【００１３】
　この内視鏡１８における操作部３の先端側に、逆流防止弁を組み込んだコネクタ兼用弁部２０，２１と、コネクタを兼用しない弁部２２が配置されており、上記コネクタ兼用弁部２０は送水用、コネクタ兼用弁部２１は患部洗浄水用、弁部２２は送気用として用いられる。
　【００１４】
　図１及び図２には、上記送水用のコネクタ兼用弁部２０の詳細な構成が示されており、このコネクタ兼用弁部２０は、内視鏡１８の外板２４に固定された比較的大きな半径の略半球形の基体２５に、回転リング２６を有する蓋体２７を着脱自在に取り付ける構造となっている。この回転リング２６は、図示のように基体２５と雌雄ネジ形式で結合され、この蓋体２７の中心部には注射器等の注入器を接続する結合部２８が形成されている。この結合部２８の流路２９に連通する流路に、コネクタ外部への逆流を防止する逆流防止弁３０が配置される。
　【００１５】
　また、上記蓋体２７に、ネジ等により中間部材３２が取り付けられており、この中間部材３２では、その下側に逆流防止弁３３が配置され、流路３４、流路３５等が形成されている。なお、各部材は図示のように、Ｏリングにて気密性が保たれる。従って、実施例では上記回転リング２６を回すことにより、逆流防止弁３０，３３を保持したまま蓋体２７を取り外すことができ、これにより基体２５は図２に示される状態となり、弁部２０の上面が最大限に開かれる構成により、内部が完全に露出されることになる。
　【００１６】
　そして、上記基体２５の底部に送気／送水操作バルブ９へ連結される送水管１０１が接続され、また側面側の斜面部Ｓに内視鏡先端部２まで形成される送水管１０２が接続される。この送水管１０１及び１０２は、図２にも示されるように、接続部近傍が緩やかな曲率で曲げ形成されており、ブラシ３６を奥の方まで容易に挿入できるようになっている。更に実施例では、底面端部Ｃを曲面形成し、底面部の洗浄が容易となるようにしている。
　【００１７】
　図３には、上記逆流防止弁３０，３３の構成が示されている。この逆流防止弁３０，３３は、実施例ではゴム等の弾性部材からなり、内側の弁３７が軸方向に移動できるように外側リング３８に接続された構成とされている。
　【００１８】
　上記のコネクタ兼用弁部２０によれば、送気／送水操作バルブ９の操作により送水管１０１を通った水は、逆流防止弁３３を通過し、流路３４，３５を介して送水管１０２へ流れる。この際には、上側の逆流防止弁３０は閉状態となり、外部への逆流が防止される。一方、上記結合部２８へ注入器を接続した場合は、注入された水は逆流防止弁３０を通って、同様に流路３４，３５を介して送水管１０２へ流れる。このときは、下側の逆流防止弁３３は閉状態となり、送気／送水操作バルブ９側への逆流が防止される。このようにして、供給される水は内視鏡先端部２の観察窓へ向けて噴射される。更に、この送水をしないときは、両方の逆流防止弁３０，３３により、被観察体内の液体等が送水管１０２を通って各部へ逆流することが防止される。
　【００１９】
　このようなコネクタ兼用弁部２０では、図１の回転リング２６を回すことにより、逆流防止弁３０，３３を保持したまま蓋体２７が取り外される。そして、この蓋体２７から中間部材３２を分離すれば、逆流防止弁３０，３３の洗浄、消毒が容易に行える。また、図２に示されるように、基体２５の広い開口からブラシ３６を送水管１０１，１０２に容易に挿入することができ、しかもこの送水管１０１，１０２が所定曲率で曲げ形成されているので、ブラシ３６を奥まで容易に挿入できるという利点がある。即ち、管内の洗浄においては、上記送気／送水操作バルブ９側からブラシ３６を挿入することが困難であり、この弁部２０からブラシ３６を奥まで挿入可能とすることにより、送給管１０１，１０２の全体の洗浄、消毒が可能となる。更に、基体２５の内部も、広い開口により、又は底面端部Ｃの曲面仕上げにより、洗浄、消毒が容易となる。
　【００２０】
　図４及び図５には、患部洗浄水用のコネクタ兼用弁部２１の詳細な構成が示されており、図示されるように、この場合も、略半球形の基体４０に蓋体４１が被せられる構成となっている。この蓋体４１には、雌雄ネジ形式で基体４０に結合する回転リング４２が設けられ、この蓋体４１の中心部には注入器を接続する結合部４３が形成される。この結合部４３の流路４４に連通する流路に、図３で示した逆流防止弁４５が配置される。そして、基体４０の底部側面の斜面部Ｓに、内視鏡先端部２へ向けて配設される送水管１１０が接続され、この送水管１１０は接続部近傍において所定の曲率で曲げ形成される。なお、基体４０の底面端部Ｃは曲面形成される。
　【００２１】
　上記患部洗浄水用のコネクタ兼用弁部２１によれば、結合部４３へ注入器を接続することにより、洗浄水が逆流防止弁４５を通って送水管１１０から先端部２へ送られる。従って、この患部洗浄水は先端部２から真っ直ぐ被観察体へ向けて噴射されることになり、これによって各種の処置が行われるが、この場合も被観察体内の液体等の逆流が逆流防止弁４５で防止される。
　【００２２】
　そして、上記と同様に、回転リング４２を回すことにより蓋体４１が取り外され、この状態で逆流防止弁４５の洗浄、消毒が容易に行える。また、図５に示されるように、基体４０の広い開口からブラシ３６を送水管１１０に容易に挿入することができ、送水管１１０の洗浄、消毒が容易となる。
　【００２３】
　更に、図６で説明した送気用のコネクタ形式でない弁部２２においては、平板状の蓋をする構成とすることができる。即ち、図１の構成において上側の逆流防止弁３０をなくして、下側の逆流防止弁３３のみを残し、かつ結合部２８も取り除いて蓋体２７の上部を閉状態とすればよい。これによれば、送気／送水操作バルブ９側から空気を先端部２側へ送ることができると同時に、先端部２側からの空気等の逆流を防止することが可能となる。
　【００２４】
　上記実施例では、弁部２０，２１，２２において蓋体２７，４１を取外し可能とすることにより、弁内の洗浄、消毒が容易となるだけでなく、送水管１０１，１０２，１１０を所定の曲率で曲げ形成しているので、管内へのブラシ３６の挿入が容易となり、管内の洗浄、消毒が容易となるという利点がある。
　【００２５】
　【発明の効果】
　以上説明したように、本発明によれば、送気又は送水の操作バルブと先端部との間の内視鏡外表部に弁部を設け、この弁部の下部側には所定の曲率で曲げ形成された供給管であって操作バルブへ連結される管と先端部へ向かう管を接続し、かつ上記操作バルブへ連結される管への逆流を防止する逆流防止弁を組み込むと共に、この弁部の上部は当該弁部から取外し可能な蓋体としたので、弁内及び逆流防止弁の洗浄、消毒が容易に行え、しかも供給管内へブラシが容易に挿入できるので、管全体の洗浄、消毒が容易に実行可能となる。
【図面の簡単な説明】
　【図１】
　本発明の実施例に係る逆流防止弁を配置した内視鏡のコネクタ兼用弁部の構成を示す断面図である。
　【図２】
　図１のコネクタ兼用弁部において蓋体を取り外した状態を示す図である。
　【図３】
　実施例の逆流防止弁の構成を示す図である。
　【図４】
　実施例において一つの逆流防止弁を設けたコネクタ兼用弁部の構成を示す断面図である。
　【図５】
　図４のコネクタ兼用弁部において蓋体を取り外した状態を示す図である。
　【図６】
　実施例の内視鏡の構成を示す全体図である。
　【図７】
　従来における内視鏡の構成を示す全体図である。
　【符号の説明】
　１，１８　…　内視鏡、
　２　…　先端部、
　３　…　操作部、
　９　…　送気／送水操作バルブ、
　２０，２１　…　コネクタ兼用弁部、
　２２　…　弁部、
　２５，４０　…　基体、
　２７，４１　…　蓋体、
　３０，３３，４５　…　逆流防止弁、
　３６　…　ブラシ、
　１００，１０１，１０２，１１０　…　送水管、
　１２０　…　送気管。